(57)【要約】      （修正有）【課題】配線コードを省略するとともに、陳列棚全体を明るく照明でき、照明角度や方向も調整可能とした陳列棚を提供する。【解決手段】天板９７及び側板９８と、側板に棚受け１０１を介して支持される棚板１００とを有し、棚板に取り付けた照明器具１０４に電源を供給することで照明器具を点灯させる陳列棚において、側板に形成され棚受けを取り付ける取付孔１０２の内部に設けられた側板側端子１１１と、側板の内側に配設され、側板側端子と電源とを電気的に接続する帯状の金属板からなる接続手段１０９，１１０と、取付孔に差し込まれることで側板側端子と接触して電気的に導通する棚受け１０１と、棚板に設けられ、棚板を棚受けに載置した際に棚受けと接触することで照明器具に電源を供給する電源供給端子１０５〜１０８とを有する。【選択図】図１０
0003193890.tif 000002
【実用新案登録請求の範囲】
【請求項１】
天板及び側板と、前記側板に棚受けを介して支持される棚板とを有し、前記棚板に取り付けた照明器具に電源を供給することで前記照明器具を点灯させる陳列棚において、
前記側板に形成され前記棚受けを取り付ける取付孔の内部に設けられた側板側端子と、
前記側板の内側に配設され、前記側板側端子と電源とを電気的に接続する接続手段と、
前記取付孔に差し込まれることで前記側板側端子と接触して電気的に導通する棚受けと、
前記棚板に設けられ、前記棚板を前記棚受けに載置した際に前記棚受けと接触することで前記照明手段に電源を供給する電源供給端子と、
を有することを特徴とする陳列棚。
【請求項２】
前記取付け孔が前記側板に列状に複数形成されている場合に、前記接続手段が、前記側板の内部に配置された帯状の金属板であることを特徴とする請求項１に記載の陳列棚。
【請求項３】
対向する前記側板に取り付けられた前記棚受けの一方を正極とし、他方を負極として前記照明器具に通電を行うことを特徴とする請求項１又は２に記載の陳列棚の照明装置。
【請求項４】
左右の側板に取り付けられた複数の棚受けによって前記棚板を支持する場合に、正極及び負極の端子の組を複数設け、前記照明器具の複数の発光体に別々に電源供給を可能としたことを特徴とする請求項１〜３のいずれかに記載の陳列棚。
【考案の詳細な説明】
【技術分野】
【０００１】
本考案は、商品を陳列展示するための陳列棚に関する。
【背景技術】
【０００２】
従来、陳列棚の照明装置としては特許文献１に、する技術が開示されている。
【特許文献１】特開２００４−３４４５０７号公報
【考案の開示】
【考案が解決しようとする課題】
【０００３】
しかしながら、特許文献１に記載の技術によれば、陳列棚の棚柱と爪の付いた絶縁された棚受け金物に、１２Ｖを主とする低い電圧の電気を直接流し、スポットライトのような照明器具を使用する構成であるため、棚全体を明るく照らすことができないという問題点がある。
また、前記スポットライトに変えて例えば低電圧で駆動する蛍光灯のような照明器具で棚全体を照明する方法が考えられるが、照明器具自体が大きく、せっかくの陳列範囲を狭めてしまうという問題点がある。特に、オープン形式の陳列棚の他にガラスショーケースのような美観を重要視する陳列棚には不向きである。
更に、展示する商品によっては、上部からの照明の他に前面から、または後方からの照明や、商品の特徴を浮き出させるために照明装置の角度を調整したり、位置を細かく調整したい場合が多く、こうした調節自在な照明装置の提供が望まれている。
【０００４】
本考案は係る課題に鑑みてなされたもので、低電圧電源を棚の構造物へ流すことで配線コードを省略するとともに、照明器具自体をテープ状にして薄く小さくし陳列棚全体を明るく照明できるようにすることを目的とする。特に照明する角度や方向を自在に調整可能とした陳列棚の照明装置を提案するものである。
【課題を解決するための手段】
【０００５】
上記目的を達成するため、請求項１に記載の陳列棚の照明装置は、天板（９７）及び側板（９８，９９）と、前記側板に棚受け（１０１）を介して支持される棚板（１００）とを有し、前記棚板に取り付けた照明器具（１０４）に電源を供給することで前記照明器具を点灯させる陳列棚において、前記側板（９８，９９）に形成され前記棚受け（１０１）を取り付ける取付孔（１１１）の内部に設けられた側板側端子と、前記側板の内側に配設され、前記側板側端子と電源とを電気的に接続する接続手段（１０９）と、前記取付孔（１１１）に差し込まれることで前記側板側端子と接触して電気的に導通する棚受け（１０１）と、前記棚板（１００）に設けられ、前記棚板（１００）を前記棚受け（１０１）に載置した際に前記棚受けと接触することで前記照明手段に電源を供給する電源供給端子（１０５〜１０８）とを有する構成としてある。
【０００６】
このように構成した陳列棚の照明装置によれば、照明手段が棚板と一体的になり、棚受けへ棚板を置くだけで照明付きの棚が簡単に構成できる。
請求項２に記載の本考案は、請求項１に記載の陳列棚の照明装置において、
前記取付け孔（１１１）が前記側板（９８，９９）に列状に複数形成されている場合に、前記接続手段（１０９）が、前記側板（９８，９９）の内部に配置された帯状の金属板であることを特徴とする。
【０００７】
また本考案の照明装置は、陳列する商品に応じて見栄えを考慮して赤色照明、緑色照明又は青色照明を選択することができる。３色を同時にオンとすれば白色照明にすることができる。また、３色のＬＥＤの点滅の切り替えを電子回路で制御すれば、３色を同時に、あるいは時間差で切り替えて照明することで、イルミネーションとしての効果がある。
【０００８】
請求項３に記載の本考案は、請求項１または２に記載の陳列棚の照明装置において、
棚柱本体を絶縁体とし、内部に２本の金属製のアングルを埋め込み一体化して該アングルの開口部に棚受金具を固定してアングルと通電できるようにし、
前記棚柱の上部は、上部蓋を固定し、下部は電源のプラス端子とマイナス端子を有する下部蓋を固定したことを特徴とする。
【０００９】
請求項４に記載の本考案は、請求項１から３のいずれかに記載の陳列棚の照明装置において、左右の側板に取り付けられた複数の棚受けによって前記棚板を支持する場合に、正極及び負極の端子の組を複数設け、前記照明器具の複数の発光体に別々に電源供給を可能としている。
【考案の効果】
【００１０】
上述のように、本考案の陳列棚の照明装置は、照明手段が棚板と一体的になり、側板の好みの上下位置に設置された棚受けへ棚板を置くだけで照明付きの棚が簡単に構成できる。そのため、美観の極めて優れた陳列棚となる。また、高輝度ＬＥＤを使用することによって明るく照明できるとともに、消費電力の小さな理想的な陳列棚の照明装置が提供できる。
【００１１】
また、陳列する商品に応じて見栄えを考慮して赤色照明、緑色照明又は青色照明を選択することができる。３色を同時にオンとすれば白色照明にすることができる。また、３色のＬＥＤの点滅の切り替えを電子回路で制御すれば、３色を同時に、あるいは時間差で切り替えて照明することで、イルミネーションとしての効果がある。
【００１２】
また、側板内に接続手段を設けることで、通電した棚受けから漏電する事態を避けることができ、多数列で棚を構成した場合に、ゆがみや振動によって隣接した棚受けどうしが接触してもショートすることがない。また、建造物の金属製の柱や壁にも安心して設置することができる。
【００１３】
また、複数段の棚の最上部用の照明装置が提供できる。また、簡単な操作で前後の位置決めや照明角度を調整でき、陳列する商品の特性に合わせて最適な照明効果を得ることができる。さらに、棚板上に展示された商品を前方から照明する陳列棚の照明装置が提供でき、着脱もいたって簡単で簡単な操作で前後の位置決めや照明角度を調整でき、陳列する商品の特性に合わせて最適な照明効果を得ることができる。
【考案を実施するための最良の形態】
【００１４】
以下、本考案の参考例について図１〜図９に基づいて説明する。まず、図１は本考案を適用したオープン形式の陳列棚の照明装置の基本構成を示す概念図である。
１は金属製の左側棚柱、２は右側棚柱で、それぞれ電源アダプター３のプラス端子とマイナス端子に接続され、電源アダプター３はスイッチ４と交流電源プラグ５を介して交流電源へ接続され、前記棚柱１、２へ直流１２Ｖを供給するように構成されている。
６、７は金属製の棚受金具で、前記左右の棚柱１、２の嵌合穴へそれぞれ固定され、棚板８を乗せることで棚の上下位置を決める。上部棚板８はこの例ではガラス製とし、その下面には、複数の高輝度ＬＥＤ発行体を列状に並べて配置されたＬＥＤテープ９が貼付され、該ＬＥＤテープ９の両端の端子（プラス端子１０及びマイナス端子１１）がそれぞれ前記棚受金具６、７と接触するように構成される。なお、１２は下部棚板でこの上に商品が展示され、図１の破線の矢印で表したように前記ＬＥＤテープ９の発光により商品が照明される。なお、前記棚板８は、木製などの絶縁体でもよく、また金属製、例えば鋼板制であれば表面を絶縁物でコーティングした上にＬＥＤテープ９を貼付すればよい。
【００１５】
図２（１）はＬＥＤテープ９の詳細図で、粘着テープによって前記棚板の下面に貼付され、複数のＬＥＤ発行体１３が一列に配置され、図２（２）配線図に示すように配線されている。因みに、一般的に流通しているＬＥＤテープは、片方の端子から＋−の配線コードが出ているが、ＬＥＤテープ内の配線が左右つながっている事ので左右の端子から＋−を別々に供給する事により配線の簡単化が可能となる。
なお、図２（１）では、両端のプラス端子１０とマイナス端子１１はＬＥＤテープ９と離れて示されているが、テープ状で一体的に構成してもよい。
【００１６】
図３は、図１及び図２で説明した本考案を複数列配置した構成図を示す。なお、この例では、棚板が上下２段で示されているが、必要に応じて複数段にすることができる。この場合は、最下段の棚板を除いてそれぞれの棚板の下面にＬＥＤテープを設置すればよい。
【００１７】
このように構成すれば、ＬＥＤテープで照明手段が棚板と一体的になり、棚柱の好みの上下位置に設置された棚受金具へ棚板を置くだけで照明付きの棚が簡単に構成できる。ＬＥＤテープは粘着部を含めても２．５ｍｍ程度であり、配線も照明体も見えづらくなって、美観の極めて優れた陳列棚となる。また、高輝度ＬＥＤを使用することによって明るく照明できるとともに、消費電力の小さな理想的な陳列棚の照明装置となる。
【００１８】
図４（１）から（４）は、ＬＥＤテープの他の例を示したもので、図４（１）はＬＥＤテープ１４の複数の発行体スポット１５に同一色の高輝度ＬＥＤチップが３つ配置され、前記図２で説明したＬＥＤテープ９の略３倍の明るさで照明することができる。この場合は、図２のＬＥＤテープ９と同様にプラス端子１６とマイナス端子１７が配置される。図４（２）は、ＬＥＤテープ１８の複数の発光スポット１９に赤色ＬＥＤ２０と緑色ＬＥＤ２１及び青色ＬＥＤ２２がそれぞれ１個づつ配置され、プラス端子２３とマイナス端子２４とによって電源が供給される。ＬＥＤテープ１８は図４（３）配線図に示すように配線され、３極ディップスイッチ２５を介してプラス端子２３へ接続される。図４（４）は、棚板２６の下面に配置した例を示し、プラス端子２３は棚受金具２７へ、マイナス端子２４は棚受金具２８へ接続されて電源供給される。
【００１９】
このように構成すれば、陳列する商品に応じて見栄えを考慮して赤色照明、緑色照明又は青色照明を選択することができる。３色を同時にオンとすれば白色照明にすることができる。また、こ例では、３色の切り替えを機械的なスイッチとしているが、電子回路で制御すれば、３色を同時に、あるいは時間差で切り替えて照明することで、イルミネーションとしての効果がある。
【００２０】
図５（１）から（８）は、棚柱と棚受金具の他の例を示したもので、図５（１）は棚柱２９の全体を示す。棚柱２９の本体をプラスティックなどの絶縁体とし、内部に２本の金属製のアングル３０、３１を埋め込み一体化して該アングル３０、３１の開口部に棚受金具を固定してアングル３０，３１と通電できるようにする。図５（２）は棚柱２９の上面図、（３）は中間の断面図、（４）は下面図、（５）は拡大した構成図で、中間の取付穴３２によって壁などの建築物などの構造体へねじ止めできるようになされている。棚柱２９の上部は、上部蓋３３をねじ止めなどの手段で固定され、下部はプラス端子３４とマイナス端子３５を構成した下部蓋３６をねじ止めなどの手段で固定され、プラス端子３４にはプラス側の配線３７が、マイナス端子３５にはマイナス側の配線３８がそれぞれ接続できる。
図５（６）は棚受金具３９の上面図、（７）は側面図で、上面４０が導電体、その周囲４１は絶縁被膜でコーティングされている。アングル３０、３１との接合部４２は導電体とされている。図５（８）は棚受金具３９と棚板４３とを表す構成図で、棚板４３に貼付されたＬＥＤテープ４４の電源端子４５と該棚受金具３９の上面４０とが、棚受金具３９へ棚板４３を置くだけで電気的な接続ができる。
なお、この例では棚柱２９と上部蓋３３及び下部蓋３６が別体としているが、これらをプラスティックなどにより一体成型することで構成することができる。また、棚受金具３９は金属体でこれを絶縁体でコーティングしているが、上面導電体４０と接合部４２とを電気的に接続して、本体をプラスティックなどでインサート成型して構成してもよい。
【００２１】
このように構成すれば、通電する棚柱と棚受金具が電気的に絶縁され、必要な導電部分だけを露出することで、通電した棚柱や棚受金具から漏電する事態を避けることができ、多数列で棚を構成した場合に、ゆがみや振動によって隣接した棚受金具どうしが接触してもショートすることがない。また、建造物の金属製の柱や壁にも安心して設置することができる。
【００２２】
図６（１）から（３）は、複数段設置した棚の最上部の棚を照明するための陳列棚の照明装置の例で、図６（１）は全体図、（２）は構成図、（３）はその拡大図を表している。４６と４７は左右の棚柱、４８と４９は棚柱に固定された左右の棚アングルで、電源アダプター５０に接続され、通電できるように構成されている。５１はＬＥＤ照明体で、左右の差し込み部をそれぞれ棚アングル４８と４９へ差し込むことにより、電源供給されて発光し、下部棚５２に置かれた商品を図６（１）の破線矢印で示したように照明できるように構成されている。図６（２）及び（３）はＬＥＤ照明体５１の構成図で、Ｌ字状アングル５３の内側にＬＥＤテープ５４が貼付され、左右にそれぞれ絶縁物の嵌合体５５、５６を止めねじ５７で固定され、嵌合体５５、５６の内部の差込端子５８、５９を介してＬＥＤテープ５４と棚アングル４９とが電気的に接続される。ＬＥＤ照明体５１は棚アングル４８および４９に挿み込まれるように構成して、図６（１）の矢印に示すように前後の位置を調整できるようになされ、また図６（２）の円弧状矢印に示すようにＬＥＤ照明体５１の全体を回転して照明の角度を調整できるように構成されている。
【００２３】
このように構成することによって、複数段の棚の最上部用の照明装置が提供できる。また、簡単な操作で前後の位置決めや照明角度を調整でき、陳列する商品の特性に合わせて最適な照明効果を得ることができる。
【００２４】
図７（１）から（３）は、照明体を棚板の上面に取り付けて商品を前面から照明するための陳列棚の照明装置の例で、図７（１）は全体図、（２）照明体の構成図、（３）はその拡大図を表している。６０、６１は棚柱、６２、６３は棚柱に固定された左右の棚アングルで、電源アダプター６４に接続されて通電できるように構成されている。６５は棚板、６６は後面板で、棚アングル６２、６３上に設置される。図７（２）及び（３）はＬＥＤ照明体６７の構成図で、Ｌ字状アングル６８の内側にＬＥＤテープ６９が貼付され、左右にそれぞれ絶縁物の嵌合体７０、７１を介して取付板７２、７３にねじ止めされている。ＬＥＤテープ６９の端子は取付ねじ７４と取付板７２、７３を介して棚アングル６２、６３とそれぞれ電気的に接続され、図７（３）の破線で示したように通電する。また、取付板７２、７３はＬ字状で下部と前記嵌合体７０、７１とで棚板６５の端を挿み込むように構成されている。前記取付ねじ７４にはレバー７５が取付られ、該レバー７５を使って、図７（２）の円弧状矢印に示すようにＬＥＤ照明体６７の全体を回転して照明の角度を調整できるように構成されている。また、ＬＥＤ照明体６７は、図７（１）の両端矢印に示したように棚板６５の前後の位置を調整できる。
【００２５】
このように構成することによって、棚板上に展示された商品を前方から照明する陳列棚の照明装置が提供できる。また、着脱もいたって簡単で簡単な操作で前後の位置決めや照明角度を調整でき、陳列する商品の特性に合わせて最適な照明効果を得ることができる。
【００２６】
図８（１）と（２）は、前記図５で説明した１本の棚柱の中に２本のアングルを設け、それぞれのアングルへプラス電源とマイナス電源を通電し、この棚柱にスポットライトを設置した例を示す。図８（１）は全体図、（２）はその拡大図で、棚柱７６は絶縁体とし、この中に２つのアングル７７、７８を埋め込み、一方のアングル７７をプラス電源に、他方のアングル７８にマイナス電源を通電する。７９はＬＥＤスポットライトで、本体は取付金具８０と８１によってアングルの開口部８２と８３に引っかけるように取付られ、取付金具８０はＬＥＤスポットライト７９のプラス側へ、また取付金具８１はマイナス側へ接続される。
【００２７】
このように構成することによって、建造物に設置して電源を通電した棚柱の適宜な位置へ簡単にスポットライトを設置でき、陳列した商品をクローズアップしたスポット照明効果を得ることができる。      
【００２８】
図９（１）から（４）は、プラス、マイナス電源を通電する棚柱へ接続ボックスを設置した例を示す。図９（１）は全体図、（２）は拡大図、（３）は接続ボックスの使用例を示した構成図、（４）は接続ボックスの裏面図で、棚柱８４のアングル８５、８６のそれぞれの開口部８７、８８へ接続ボックス８９の取付金具９０及び９１が引っかけるように取付られ、接続ボックス８９に電源が供給される。図９（４）は、接続ボックス８９の裏面を示し、プラス端子９２、マイナス端子９３はねじ止めなどで電線が固定できるように、またピンジャック受口９４が設けられている。図９（３）に示すように、例えば直流１２Ｖで動くような回転展示台９５や、販促展示物９６のようにモーターで動くＰＯＰ広告など、あるいは光る販促展示物などを接続して使用する。
【００２９】
このように構成することによって、棚柱から簡単に電源をとることが可能となり、動く販促展示物や光る展示物など、従来は電池式のもののように開店時にオンし、閉店時にオフするためいちいちスイッチ操作していたものを棚柱の電源をオン、オフするだけの簡単操作で済ますことができる。また、展示物のためだけにいちいち電線を配線する手間も省けて、店舗の美観を最適にすることができる。
【００３０】
図１０（１）から（５）は、ガラス棚ショーケースに本考案を適用した実施形態を示す。図１０（１）はショーケースの全体図、（２）はガラス製棚板の裏面図、（３）はショーケースの右側板の構成図、（４）は側板の正面図、（５）はその断面図を示す。９７はガラスショーケースで左右の側板９８、９９には棚板１００を設置するためのダボ金具１０１を固定する複数のダボ穴１０２が設けられている。１枚のガラス製棚板１００を置くために４本のダボ金具１０１が側板９８、９９に取り付けられている。１０３はショーケース９７の底部に設置された電源アダプターである、図１０（２）は、棚板１００の裏面を示し、ＬＥＤテープ１０４が貼付されるとともに、テープ状の端子（プラス端子１０５、１０６及びマイナス端子１０７、１０８）が貼付され、側板９８、９９のダボ金具１０１に棚板１００を置くことで、この端子がダボ金具と接触し、電源アダプター１０３からＬＥＤテープ１０４へ電源が供給され、点灯するように構成されている。この時、２端子２線に電気を供給する単色照明と、４端子４線に電気を供給するイルミネーション照明等も選択的に接続可能となる。
図１０（３）、（４）および（５）は側板９９の詳細を示し、該側板９９には２列の金属製配線板１０９、１１０が埋め込まれている。図１０（５）は配線板１０９の断面図で、複数のダボ穴１１１にはダボ金具１０１がねじ止めあるいは嵌めこみ式で固定できるようになされ、電源アダプター１０３からダボ金具１０１へ通電される。また、配線板１０９の表面は絶縁塗装などで絶縁されている。
【００３１】
このように構成することによって、ガラス棚ショーケースにＬＥＤによる照明装置が設置され、多段のガラス棚板を設置してそれぞれの棚板を明るく照明することができる。別段、照明器具やその配線を取り付けることもなく、美観に優れたガラスショーケースを提供することができる。
【００３２】
図１１は、ガラスショーケースのダボ金具を吸盤方式とした本考案の他の実施形態を示す。ガラスショーケースは棚板をガラス板とするので、安定的に棚板を固定するためにダボ金具に吸盤を設置した構造がのぞましい。ダボ金具１１２を金属製とし、図１０で説明したように電源を通電できる構造とし、棚板の受部１１３に吸盤１１４を取付け、渦巻状の電線１１５を該吸盤１１４の中央部に設置する。ガラス製棚板は吸盤１１４に吸着し、同時に棚板の導電部と渦巻状の電線１１５とが強固に接触して通電するように構成する。
【００３３】
このように構成することによって、ガラス製の棚板は安定的に設置され、ＬＥＤ照明体への電源供給も接触不良なく安定した照明装置を提供できる。
【００３４】
以上、本考案の実施の形態を説明してきたが、本考案はこれに限定されるものではなく、本考案の要旨を変更しない限り、様々な態様で実施し得るものである。
【図面の簡単な説明】
【００３５】
【図１】本考案を適用した陳列棚の照明装置の基本構成図である。
【図２】ＬＥＤテープの詳細図及び配線図である。
【図３】本考案を複数列配置した構成図である。
【図４】ＬＥＤテープの他の例構成図および配線図である。
【図５】棚柱と棚受金具の他の例の構成図である。
【図６】棚の最上部を照明する例の構成図である。
【図７】商品の全面を照明する例の構成図である。
【図８】棚柱の他の例の構成図である。
【図９】接続ボックスの例を示す構成図である。
【図１０】本考案をガラスショーケースで実施した構成図である。
【図１１】ガラスショーケースのダボ金具の例を示す構成図である。
【符号の説明】
【００３６】
１、２・・・棚柱
３・・・電源アダプター
６、７・・・棚受金具
８・・・棚板
９・・・ＬＥＤテープ
１３・・・ＬＥＤ発光体
【図１】
0003193890.tif 000003
【図２】
0003193890.tif 000004
【図３】
0003193890.tif 000005
【図４】
0003193890.tif 000006
【図５】
0003193890.tif 000007
【図６】
0003193890.tif 000008
【図７】
0003193890.tif 000009
【図８】
0003193890.tif 000010
【図９】
0003193890.tif 000011
【図１０】
0003193890.tif 000012
【図１１】
0003193890.tif 000013